(57)【要約】【課題】ある程度まで組み立てられた太陽電池用架台を効率よく運搬できる太陽電池用架台の運搬装置を提供する。【解決手段】４本の支柱と、各支柱の上端に設置された掛け輪と、各支柱の下端に設置されたキャスターと、一対の支柱を横方向に連結する梁部と、この梁部によって連結された一対の支柱を、支柱の上方にて連結する上方支持材と、上方支持材が連結された支柱同士を支柱の上方支持材より下方にて連結する下方支持材と、を備える。運搬装置はクレーン付き貨物車のクレーンにてクレーン付き貨物車に積載され、運搬後積み下ろされる。運搬装置は基礎の上を移動してプレハブ架台が積み下ろされる。【選択図】図１
2011225021.tif 000002
【特許請求の範囲】
【請求項１】
４本の支柱と、
前記支柱のそれぞれ上端に設置された掛け輪と、
前記支柱のそれぞれ下端に設置されたキャスターと、
一対の前記支柱を横方向に連結する梁部と、
前記梁部によって連結された一対の前記支柱を連結する上方支持材と、
前記上方支持材が連結された前記支柱を前記上方支持材より下方にて連結し、前記上方支持材と前記下方支持材とを結ぶ直線と前記上方支持材が連結されている前記支柱とのなす角が、長いほうの架台支柱と架台支持材とがなす角と等しくなるように設置される下方支持材と、
を備える太陽電池用プレハブ架台の運搬装置。
【請求項２】
前記上方支持材及び前記梁部は、
ゴムバンドを掛ける複数の掛け止め部を備える請求項１記載の太陽電池用プレハブ架台の運搬装置。
【請求項３】
前記上方支持材及び前記下方支持材の長さは取付桟の長さより短い請求項１記載の太陽電池用プレハブ架台の運搬装置。
【請求項４】
前記支柱に連結し、下方に直角に屈曲する補助輪アームと、
前記補助輪アームの先端に基礎の側面に接するように、横向きに設置される補助キャスターと、
を備える補助輪をさらに備える請求項１記載の太陽電池用プレハブ架台の運搬装置。
【請求項５】
前記運搬装置の移動方向に沿って敷設されるレールをさらに備える請求項１記載の太陽電池用プレハブ架台の運搬装置。
【請求項６】
前記レールは断面がＬ字形状をなす請求項５記載の太陽電池用プレハブ架台の運搬装置。
【請求項７】
前記レールは溝形鋼である請求項５記載の太陽電池用プレハブ架台の運搬装置。
【請求項８】
前記レールは基礎に設置されるアンカーボルトに着脱可能に設置される請求項５記載の太陽電池用プレハブ架台の運搬装置。
【請求項９】
複数個並べて設置される布基礎の上に溝形鋼を敷設して軌道を形成し、この軌道上に太陽電池用プレハブ架台を載置して運搬する、キャスターを備える運搬装置を載せ、この運搬装置に太陽電池用プレハブ架台を載置して前記軌道に沿って運搬することを特徴とする太陽電池用プレハブ架台の運搬装置の運搬方法。
【発明の詳細な説明】
【技術分野】
【０００１】
本発明は、太陽電池モジュールを設置するためのプレハブ架台の運搬装置に関する。
【背景技術】
【０００２】
近年、太陽光発電システムは地球温暖化防止の観点から急速に普及している。最近ではメガワット級の大規模発電所の建設がおこなわれるようになった。このような大規模太陽光発電施設においては、地上に設置した架台に数万枚規模の多数の太陽電池パネルを設置した太陽電池アレイが設けられる。
【０００３】
架台を設置する場合、従来は分解された状態にて搬入される架台の部品を、分解された状態にて架台設置場所まで運搬し、架台を組み立てていた。従って、部品の数量が合わない事態が発生し、作業効率を低下させていた。
【０００４】
そこで、ある程度まで架台を組み立てて搬送する方法が考えられている。しかし、組み立てられた架台はかさばる。従って、輸送方法を開発する必要がある。
【０００５】
この点に関し、従来は太陽電池モジュールの運搬装置は開発されてきた（例えば、特許文献１）。しかし、これらの装置は太陽電池モジュールの運搬には適するが、ある程度まで組み立てた架台を効率よく運搬することは不可能であるという問題点がある。
【先行技術文献】
【特許文献】
【０００６】
【特許文献１】特開２０００−２０３６８４号公報
【発明の概要】
【発明が解決しようとする課題】
【０００７】
本発明は、ある程度まで組み立てられた太陽電池用プレハブ架台を効率よく運搬できる太陽電池用プレハブ架台の運搬装置を提供することを目的とする。
【課題を解決するための手段】
【０００８】
本発明は、４本の支柱と、支柱のそれぞれ上端に設置された掛け輪と、支柱のそれぞれ下端に設置されたキャスターと、一対の支柱を横方向に連結する梁部と、梁部によって連結された一対の支柱を連結する上方支持材と、上方支持材が連結された支柱を上方支持材より下方にて連結し、上方支持材と下方支持材とを結ぶ直線と上方支持材が連結されている支柱とのなす角が、長いほうの架台支柱と架台支持材とがなす角と等しくなるように設置される下方支持材と、を備える太陽電池用プレハブ架台の運搬装置を提供する。
【発明の効果】
【０００９】
本発明によれば、プレハブ架台の効率的な運搬が可能となるという効果がある。また、この効率的な運搬が可能となることにより、架台のプレハブ化が可能となるという効果がある。
【図面の簡単な説明】
【００１０】
【図１】本発明の太陽電池用プレハブ架台の運搬装置の斜視図である。
【図２】図１の矢印Ａの方向から見た運搬装置の正面図である。
【図３】図１の矢印Ｂの方向から見た運搬装置の側面図である。
【図４】プレハブ架台を積載した運搬装置を示す斜視図である。
【図５】図４の矢印Ａの方向から見た運搬装置の正面図である。
【図６】図４の矢印Ｂの方向から見た運搬装置の側面図である。
【図７】上方支持材と下方支持材の断面を示す図である。
【図８】運搬装置のクレーン付き貨物車への積み下ろしを示す図である。
【図９】架台設置現場における運搬装置のプレハブ架台及び取付桟の運搬を示す図である。
【図１０】レール付近の拡大図である。
【図１１】補助輪を示す図である。
【図１２】運搬装置を使用した架台の組み立て作業の様子を模式的にあらわしたブロック図である。
【図１３】太陽電池アレイの外観を示す図である。
【図１４】運搬装置のレールの応用例を示す図である。
【図１５】レールを使用した場合の運搬装置の設置の様子を示す図である。
【発明を実施するための形態】
【００１１】
以下に、本発明の一実施形態に係る太陽電池用プレハブ架台の運搬装置を、図面を参照して詳細に説明する。
【００１２】
図１は、本実施形態の太陽電池用プレハブ架台の運搬装置（以下、単に運搬装置１０と呼ぶ。）の斜視図である。図２は、図１の矢印Ａの方向から見た運搬装置１０の正面図である。図３は、図１の矢印Ｂの方向から見た運搬装置１０の側面図である。
【００１３】
図１乃至図３に示すように、運搬装置１０は４本の支柱１１と、各支柱の上端に設置された掛け輪１６と、各支柱の下端に設置されたキャスター１４と、を備える。運搬装置１０は、さらに一対の支柱１１を横方向に連結する梁部１５と、この梁部１５によって連結された一対の支柱１１を、支柱１１の上方にて連結する上方支持材１２と、上方支持材１２が連結された支柱１１同士を支柱１１の上方支持材１２より下方にて連結する下方支持材１３と、を備える。
【００１４】
上方支持材１２は、ゴムバンドを掛け止めるための複数の掛け止め部１２Ａを備える。また、梁部１５は、ゴムバンドを掛け止めるための複数の掛け止め部１５Ａを備える。
【００１５】
図４は、架台支持材２１Ａに２本の架台支柱２１Ｂ、２１Ｃを取り付けたプレハブ架台２１を積載した運搬装置１０を示す斜視図である。図５は、図４の矢印Ａの方向から見た運搬装置１０の正面図である。図６は、図４の矢印Ｂの方向から見た運搬装置１０の側面図である。
【００１６】
図４乃至図６に示すように、プレハブ架台２１は太陽電池モジュールを載置するための架台支持材２１Ａに長さの異なる２本の架台支柱２１Ｂ、２１Ｃが取り付けられている。プレハブ架台２１は、長いほうの架台支柱２１Ｂと架台支持材２１Ａとがなす角部を上方支持材１２に掛けられ、短いほうの架台支柱２１Ｃと架台支持材２１Ａとがなす角部を下方支持材１３に掛けられることにより、運搬装置１０に積載される。架台支持材２１Ａはさらにゴムバンド１２Ｂが掛け止め部１２Ａに掛けまわされることにより上方支持材１２に固定される。
【００１７】
架台を構成する取付桟２２は、２本の梁部１５に掛け渡されるように積載される。取付桟２２はさらにゴムバンド１５Ｂが掛け止め部１５Ａに掛けまわされることにより梁部１５に固定される。
【００１８】
図５に示すように、上方支持材１２と下方支持材１３とを結ぶ直線と上方支持材１２が連結されている支柱１１とのなす角θ１は、長いほうの架台支柱２１Ｂと架台支持材２１Ａとがなす角θ２とは等しい。
【００１９】
上方支持材１２が連結された支柱１１と下方支持材１３が連結された支柱１１との間隔Ｗ１は、プレハブ架台２１の長いほうの架台支柱２１Ｂと短いほうの架台支柱２１Ｃとの間隔と各架台支柱２１Ｂ、２１Ｃの幅を合わせた長さＷ１Ａより広い。
【００２０】
図６に示すように、上方支持材１２及び下方支持材１３の長さＷ３は取付桟２２の長さＷ４より短い。
【００２１】
図７は、上方支持材１２と下方支持材１３の断面を示す図である。図７に示すように、上方支持材１２はゴムのような弾性部材１２Ｃによって被覆されている。また、下方支持材１３も弾性部材１３Ｃによって被覆されている。従って、運搬の振動によってプレハブ架台２１が傷つくことを防止できる。
【００２２】
図８は、運搬装置１０のクレーン付き貨物車４０への積み下ろしを示す図である。図８に示すように、掛け輪１６にワイヤ３０が通され、ワイヤ３０をクレーン４１によって釣り上げることにより、クレーン付き貨物車４０に運搬装置１０が積み下ろされる。
【００２３】
図９は、架台設置現場における運搬装置１０のプレハブ架台２１及び取付桟２２の運搬を示す図である。図１０はレール５１付近の拡大図である。図９及び図１０に示すように、コンクリートによって形成される基礎５０には、一定間隔にてアンカーボルト５２が設置される。一方Ｌ字鋼にはアンカーボルト５２の間隔に合わせて、アンカーボルト挿通孔５３が設けられる。アンカーボルト５２をアンカーボルト挿通孔５３に挿通して、Ｌ字鋼材がレール５１として設置される。運搬装置１０はこのレール５１に沿って移動し、作業員が順にプレハブ架台２１と取付桟２２を下ろして、組み立ててゆく。
【００２４】
図１１は、補助輪１８を示す図である。図１１に示すように、運搬装置１０は補助輪１８を支柱１１の下部に備えてもよい。補助輪１８は、支柱１１に連結し、下方に直角に屈曲する補助輪アーム１８Ａと、補助輪アーム１８Ａの先端に基礎５０の側面に接するように、横向きに設置される補助キャスター１８Ｂと、を備える。
【００２５】
補助輪１８は基礎５０の側面に接するため、運搬装置１０が基礎５０から落下することを防止することができる。
【００２６】
図１２は、運搬装置１０を使用した架台の組み立て作業の様子を模式的にあらわしたブロック図である。図１２に示すように、架台の部品は架台部品工場６１にて製造される。架台の部品は組み立てられずに高密度に積載されて大規模太陽光発電所６２のプレハブ工場６３に輸送される。
【００２７】
架台の部品はこのプレハブ工場６３にてプレハブ架台２１が組み立てられ、運搬装置１０に所定数量ごとに、取付桟２２、及びボルト、ナット類の取付部材とともに積載される。
【００２８】
運搬装置１０はクレーン付き貨物車４０により、現場６４にそれぞれ運搬される。現場６４にて、運搬装置１０ごとクレーン付き貨物車４０から積み下ろされる。運搬装置４０は基礎５０を移動されながら、プレハブ架台２１が順に積み下ろされて、架台が組み立てられる。
【００２９】
図１３は、太陽電池アレイ４００の外観を示す図である。架台が組み立てられた後、太陽電池モジュール１００が架台に載置され、固定されて太陽電池アレイ４００が形成される。
【００３０】
図１４は、運搬装置１０のレール７２の応用例を示す図である。図１４（Ａ）はレール７２の平面図、図１４（Ｂ）はレール７２の側面図、図１４（Ｃ）はレール７２の斜視図である。
【００３１】
図１４に示すように、基礎５０のべた基礎代わりに布基礎７１が用いられる場合がある。布基礎７１は地面７３の下に土台部７１Ａを有し、所定間隔にて並べられる。架台はこの布基礎７１の上に設置される。図１４（Ｃ）に示すように、レール７２はいわゆる溝形鋼（Ｃ形鋼）が、開口部を上にして用いられる。レール７２は布基礎７１の上に敷設され、軌道が形成される。
【００３２】
レール７２はガイド部材７４により保持される。ガイド部材７４は側面がＬ字形状をなし、アンカーボルト挿通孔７４Ａを底面部に有する。
【００３３】
布基礎７１はアンカーボルト５２を有する。ガイド部材７４はアンカーボルト５２をアンカーボルト挿通孔７４Ａに挿通することにより、布基礎７１に着脱可能に取り付けられる。
【００３４】
図１５は、レール７２を使用した場合の運搬装置１０の設置の様子を示す図である。図１５に示すように、運搬装置１０のキャスター１４の間隔は一対のレール７２の間隔と等しい。運搬装置１０はキャスター１４をレール７２の開口部に嵌め込むようにレール７２上に載置され、レール７２に沿って移動される。
【００３５】
なお、レール７２に載置される運搬装置１０はキャスター１４を備える通常の台車であってもよい。
【００３６】
以上述べたように、本実施形態の運搬装置１０は、４本の支柱１１と、各支柱の上端に設置された掛け輪１６と、各支柱の下端に設置されたキャスター１４と、一対の支柱１１を横方向に連結する梁部１５と、この梁部１５によって連結された一対の支柱１１を、支柱１１の上方にて連結する上方支持材１２と、上方支持材１２が連結されていない支柱１１同士を支柱１１の上方支持材１２より下方にて連結する下方支持材１３と、を備える。運搬装置１０はクレーン付き貨物車４０のクレーン４１にてクレーン付き貨物車４０に積載され、運搬後積み下ろされる。運搬装置１０は基礎５０の上を移動されてプレハブ架台２１が積み下ろされる。
【００３７】
従って、プレハブ架台２１の効率的な運搬が可能となるという効果がある。また、この効率的な運搬が可能となることにより、架台のプレハブ化が可能となるという効果がある。
【符号の説明】
【００３８】
１０：運搬装置、
１１：支柱、
１２：上方支持材、
１３：下方支持材、
１４：キャスター、
１５：梁部、
１６：掛け輪。
【図１】
2011225021.tif 000003
【図２】
2011225021.tif 000004
【図３】
2011225021.tif 000005
【図４】
2011225021.tif 000006
【図５】
2011225021.tif 000007
【図６】
2011225021.tif 000008
【図７】
2011225021.tif 000009
【図８】
2011225021.tif 000010
【図９】
2011225021.tif 000011
【図１０】
2011225021.tif 000012
【図１１】
2011225021.tif 000013
【図１２】
2011225021.tif 000014
【図１３】
2011225021.tif 000015
【図１４】
2011225021.tif 000016
【図１５】
2011225021.tif 000017